(57)【特許請求の範囲】
【請求項１】
冷却塔により冷却されて被冷却装置に供給される循環水に薬注を行う薬注装置であって、
前記冷却塔の貯留部に貯留される循環水の所定水位よりも下方に位置する開口部を有し、複数の錠剤を上下方向に積み重ねた固形薬剤の一部の錠剤を循環水に浸漬させる溶解容器と、
前記所定水位よりも低下すると、浮き玉が下方に動き、前記貯留部に補給水を供給する給水弁を有し、前記冷却塔の稼動時に、前記固形薬剤における循環水に浸漬していない非浸漬部分に補給水を前記溶解容器の上部から供給する溶解水供給手段と、
前記給水弁の下方に前記溶解容器を固定する固定具と、
を備える薬注装置。
【請求項２】
前記溶解水供給手段は、
更に、循環水が循環する循環ラインから分岐した分岐ラインを通じて前記固形薬剤の非浸漬部分に水を供給する請求項１に記載の薬注装置。
【発明の詳細な説明】
【技術分野】
【０００１】
本発明は、冷却塔により冷却されて被冷却装置に供給される循環水に薬注を行う薬注装置に関する。
【背景技術】
【０００２】
商業ビル、工業プラント等においては、空調機や冷凍機に組み込まれた熱交換器等の被冷却装置（冷却負荷装置）を冷却するために、冷却水が用いられる。冷却水は、その節約を図る観点から、冷却水を冷却する冷却塔と被冷却装置との間を循環して用いられる（以下、循環する冷却水を適宜「循環水」という）。
【０００３】
循環水を継続的に循環させると循環水の水質が徐々に悪化し、微生物の繁殖に伴ってスライム障害が発生しやすくなるため、循環水に対して殺菌剤等の薬剤の供給が行われている。薬剤の供給方式として、固形薬剤を収容する溶解容器を利用する方法が知られている。この種の薬注装置を開示するものとして、例えば、特許文献１〜３がある。特許文献１には、固形薬剤を収容するための溶解容器を冷却塔の外部に配置し、冷却塔内で集めた水を固形薬剤に接触させて生成した薬剤溶液を冷却塔に供給する構成が開示されている。特許文献２には、循環水の薬剤濃度を監視し、薬剤濃度に応じて、固形薬剤を溶解させる溶解液の供給状態を制御する構成が開示される。特許文献３には、空間速度の範囲を設定して固形薬剤の溶解を調整する構成が開示される。
【先行技術文献】
【特許文献】
【０００４】
【特許文献１】特開２０１３−２１０１３４号公報
【特許文献２】特開２００３−１５４２４１号公報
【特許文献３】特開２００５−２７０７９８号公報
【発明の概要】
【発明が解決しようとする課題】
【０００５】
ところで、冷却塔の稼動時は、微生物等による汚染レベルも高くなるため、停止時に比べて薬注量を多くする必要がある。しかし、冷却塔の内部の循環水が貯留されている場所に固形薬剤を収容した溶解容器を浸漬配置した場合、冷却塔が稼動しているか否かに関わらず、固形薬剤が循環水に溶解することになる。冷却塔の稼動時に必要な薬注量に基づいて固形薬剤の浸漬量を設定している場合、冷却塔の停止時に過剰な量の薬剤が薬注されることになる。この点、特許文献１の構成によれば、冷却塔が稼動しているときのみ固形薬剤を溶解させて薬注することができる。しかし、冷却塔が稼動していないときには、薬注が行われなくなってしまい、冷却塔が停止している間に薬剤の効果が消失し、循環水が微生物等で汚染されるおそれがある。特許文献２の構成では、薬剤濃度を監視する装置が必要になり、当該装置を冷却塔の停止時にも稼動させなければならない。特許文献３の構成においても、定量的な溶解液を提供できるものの、冷却塔の稼動時と停止時で薬注量を変える場合、そのための制御を冷却塔の稼動時と停止時のそれぞれで行う必要がある。
【０００６】
本発明は、固形薬剤を用いた薬注装置において、複雑な制御や構造を必要とすることなく、冷却塔の稼動時と停止時のそれぞれで、適切な量の薬剤溶液を循環水に供給できる薬注装置を提供することを目的とする。
【課題を解決するための手段】
【０００７】
本発明は、冷却塔により冷却されて被冷却装置に供給される循環水に薬注を行う薬注装置であって、前記冷却塔の内部に貯留される循環水に固形薬剤の一部を浸漬させる溶解容器と、前記冷却塔の稼動時に、前記固形薬剤における循環水に浸漬していない非浸漬部分に水を供給する溶解水供給手段と、を備える薬注装置に関する。
【０００８】
前記溶解水供給手段は、循環水が循環する循環ラインから分岐した分岐ラインを通じて前記固形薬剤の非浸漬部分に水を供給することが好ましい。
【０００９】
前記溶解水供給手段は、前記冷却塔の稼動時に補給される補給水を前記固形薬剤の非浸漬部分に供給することが好ましい。
【発明の効果】
【００１０】
本発明によれば、固形薬剤を用いた薬注装置において、複雑な制御や構造を必要とすることなく、冷却塔の稼動時と停止時のそれぞれで、適切な量の薬剤溶液を循環水に供給できる薬注装置を提供できる。
【図面の簡単な説明】
【００１１】
【図１】第１実施形態の薬注装置が適用される冷却システムを模式的に示した図である。
【図２】第２実施形態の薬注装置が適用される冷却システムを模式的に示した図である。
【図３】第３実施形態の薬注装置が適用される冷却システムを模式的に示した図である。
【発明を実施するための形態】
【００１２】
以下、本発明の薬注装置の好ましい各実施形態について、図面を参照しながら説明する。なお、本明細書における「ライン」とは、流路、経路、管路等の流体の流通が可能なラインの総称である。
【００１３】
＜第１実施形態＞
図１は、第１実施形態の薬注装置１５０が適用される冷却システム１を模式的に示した図である。冷却システム１は、空調機や冷凍機に組み込まれた熱交換器等の被冷却装置１３１を冷却する循環水Ｗ２（冷却水）を系内で循環させる水処理システムである。
【００１４】
図１に示すように、第１実施形態の冷却システム１は、冷却塔１２０と、被冷却装置１３１と、循環水ポンプ１３２と、薬注装置１５０と、を主要な構成として備える。また、冷却システム１は、循環水供給ラインＬ１１１及び循環水回収ラインＬ１１２からなる循環ラインＬ１１０と、補給水ラインＬ１２０と、を主要なラインとして備える。以下、冷却システム１の各構成について説明する。
【００１５】
まず、冷却塔１２０について説明する。冷却塔１２０は、塔本体１２１と、散水槽１４５と、散水部１４６と、充填材１４７と、ルーバ１４８と、ファン１４９と、貯留部１１６と、給水部１３７と、を備える。
【００１６】
塔本体１２１は、冷却塔１２０の外郭を形成する筐体である。この塔本体１２１に、冷却塔１２０の各構成要素が設けられる。
【００１７】
散水槽１４５は、塔本体１２１の上部に設けられる。散水槽１４５は、循環ラインＬ１１０の循環水回収ラインＬ１１２によって被冷却装置１３１と接続される。冷却塔１２０の稼動時には、被冷却装置１３１で使用された循環水Ｗ２が循環水回収ラインＬ１１２を通じて散水槽１４５に送られる。
【００１８】
散水部１４６は、散水槽１４５の下方に設けられる。散水部１４６は、複数のノズルから構成され、冷却塔１２０の稼動時に、散水槽１４５に貯留される循環水Ｗ２を塔本体１２１の内部に散布する。なお、散水槽１４５に貯留される循環水Ｗ２は、散水部１４６によって散水されるので、冷却塔１２０の稼動時（即ち、循環水ポンプ１３２の駆動時）のみ散水槽１４５に貯留された状態となる。
【００１９】
充填材１４７は、塔本体１２１の内部における散水部１４６の下方であって、貯留部１１６の上方に設けられる。充填材１４７は、散水部１４６から散布された循環水Ｗ２を滴状（又は液膜状）にして、循環水Ｗ２と外気との接触面積及び接触時間を長くする。これにより、循環水Ｗ２の冷却が効率的に行われる。
【００２０】
ルーバ１４８は、塔本体１２１の内部に外気を導入するための通気孔である。ルーバ１４８を通じて塔本体１２１の外部の空気が、塔本体１２１の内部へ流入可能になっている。
【００２１】
ファン１４９は、塔本体１２１の中央上部に形成される開口部１４１に設けられる。ファン１４９の回転駆動によって、ルーバ１４８から塔本体１２１の内部に外気が流入するとともに、開口部１４１を通じて塔本体１２１内部の空気が外部に流出する気流が生じる。
【００２２】
貯留部１１６は、塔本体１２１の下部に設けられる下部水槽である。散水部１４６から散布された循環水Ｗ２は、塔本体１２１の内部を落下する過程において冷却されて貯留部１１６に貯留される。貯留部１１６は、循環ラインＬ１１０の循環水供給ラインＬ１１１によって被冷却装置１３１と接続される。冷却塔１２０の稼動時には、貯留部１１６の循環水Ｗ２が循環水供給ラインＬ１１１を通じて被冷却装置１３１に供給される。
【００２３】
給水部１３７は、貯留部１１６内の循環水Ｗ２の水位（即ち、水量）を管理するものである。給水部１３７には、補給水Ｗ１を補給する補給水ラインＬ１２０が接続されており、循環水Ｗ２の蒸発及び飛散等により貯留部１１６の水位が所定水位よりも低下すると貯留部１１６に補給水Ｗ１を供給する。
【００２４】
本実施形態の給水部１３７は、浮き玉１３８と、給水弁１３９と、を備えるボールタップ式の給水装置である。貯留部１１６の水位が所定水位よりも低下すると、給水部１３７の浮き玉１３８が下方に動いて給水弁１３９が開き、給水弁１３９から補給水Ｗ１が貯留部１１６に流れる。
【００２５】
以上説明したように、第１実施形態の冷却塔１２０は、いわゆる開放式冷却塔である。当該冷却塔１２０によって冷却された循環水Ｗ２が被冷却装置１３１に供給される。
【００２６】
被冷却装置１３１は、循環水Ｗ２による冷却が必要な熱交換器等の各種装置である。被冷却装置１３１は、例えば、各種の化学プラントのターボ冷凍機や吸収冷凍機、建築物の空調用冷却機、食品工場の冷水製造機や真空冷却機等である。
【００２７】
循環水ポンプ１３２は、循環水供給ラインＬ１１１に設けられる。循環水ポンプ１３２は、循環ラインＬ１１０（循環水供給ラインＬ１１１、循環水回収ラインＬ１１２）の上流側から下流側へ向けて、循環水Ｗ２を送り出す循環駆動源である。この循環水ポンプ１３２の駆動によって循環ラインＬ１１０を循環水Ｗ２が流通する。
【００２８】
薬注装置１５０について説明する。第１実施形態の薬注装置１５０は、塔本体１２１の内部に配置される溶解容器１５１と、溶解水供給手段１８０と、を備える。
【００２９】
まず、溶解容器１５１について説明する。溶解容器１５１は、縦長の筒状に形成される容器本体１６０と、容器本体１６０の下部に開度調節可能に設けられる開口部１６１と、を備える。開口部１６１の開度を調節することで、薬剤溶液Ｗ１０の流出量を調整することができる。
【００３０】
容器本体１６０には、複数の殺菌剤（ハロゲン系殺菌剤又は有機系殺菌剤）の錠剤を上下方向に積み重ねたものが固形薬剤１６５として収容される。なお、固形薬剤１６５を構成する薬剤として殺菌剤に替えて、スケール防止剤や防食剤を使用することもできる。以下に、固形薬剤１６５として使用可能な各種化合物を列挙する。列挙した各種化合物は、単独で錠剤に成型してもよいし、複数種を所要割合でブレンドした状態で錠剤に成型してもよい。
【００３１】
＜ハロゲン系殺菌剤＞
◎イソシアヌル酸系化合物：トリクロロイソシアヌル酸、ジクロロイソシアヌル酸など
◎次亜塩素酸系化合物：次亜塩素酸カルシウム（さらし粉）など
◎ハロゲン化ヒダントイン誘導体：１−ブロモ−３−クロロ−５，５−ジメチルヒダントインなど
＜有機系殺菌剤＞
◎イソチアゾリン系化合物：５−クロロ−２−メチル−４−イソチアゾリン−３−オン、２−メチル−４−イソチアゾリン−３−オンなど
◎トリアジン系化合物：２−（ｔ−ブチルアミノ）−４−クロロ−６−エチルアミノ−１，３，５−トリアジンなど
◎四級アンモニウム塩系化合物：アルキルジメチルベンジルアンモニウムクロライド〔別称：塩化ベンザルコニウム〕など
＜スケール防止剤＞
◎カルボン酸系重合物：ポリアクリル酸、ポリアクリル酸塩、ポリマレイン酸、ポリマレイン酸塩など
＜防食剤＞
◎重金属系化合物：亜鉛塩、モリブデン塩など
◎無機系化合物：亜硝酸塩など
◎有機系化合物：１，２，３−ベンゾトリアゾールなど
【００３２】
溶解容器１５１は、固定具１６９によって塔本体１２１に固定される。溶解容器１５１の固定位置は、その開口部１６１が貯留部１１６に貯留される循環水Ｗ２の所定水位よりも低い位置になっている。循環水Ｗ２の所定水位は、上述の給水部１３７によって維持される水位である。また、溶解容器１５１は、その内部に収容する固形薬剤１６５の少なくとも一部が所定水位よりも高い位置になるように固定されている。開口部１６１が所定水位よりも低い位置にあるので、固形薬剤１６５の下部が循環水Ｗ２によって溶解し、その薬剤溶液Ｗ１０が開口部１６１を通じて貯留部１１６に流出する。固形薬剤１６５のうち、循環水Ｗ２に接している部分（錠剤）が溶けきると自重により上の錠剤が落下し、落下した錠剤が循環水Ｗ２の所定水位より低い位置となり、固形薬剤１６５の溶解が継続する。
【００３３】
このように、溶解容器１５１に収容される固形薬剤１６５は、冷却塔１２０が稼動しているか否かに関わらず、常時、その一部が循環水Ｗ２に接触し、溶解している状態にある。即ち、溶解容器１５１は、常時、薬剤溶液Ｗ１０を循環水Ｗ２に薬注している。
【００３４】
溶解水供給手段１８０について説明する。溶解水供給手段１８０は、固形薬剤１６５の循環水Ｗ２に浸漬していない非浸漬部分を溶解させるための水を溶解容器１５１に供給する手段である。第１実施形態の溶解水供給手段１８０は、分岐ラインＬ１８０によって構成される。
【００３５】
分岐ラインＬ１８０は、循環ラインＬ１１０の循環水供給ラインＬ１１１から分岐し、溶解容器１５１に接続される。分岐ラインＬ１８０は、溶解容器１５１の上部に形成される開口に接続されており、固形薬剤１６５における循環水Ｗ２に浸漬していない上部（非浸漬部分）に循環水Ｗ２の一部を供給する。なお、分岐ラインＬ１８０には、溶解容器１５１への循環水Ｗ２の供給流量を調節するために、適当な流量調整手段（例えば、オリフィスや弁機構など）を設けることができる。
【００３６】
上述の通り、冷却塔１２０の稼動時は、循環水ポンプ１３２が駆動され循環水Ｗ２が循環ラインＬ１１０を流通する。この冷却塔１２０の稼動時に、循環水Ｗ２の一部は、循環ラインＬ１１０の循環水供給ラインＬ１１１から分岐ラインＬ１８０を通じて溶解容器１５１に供給される。溶解容器１５１に供給された循環水Ｗ２によって固形薬剤１６５の非浸漬部分が溶解する。
【００３７】
冷却塔１２０の停止時は、循環ラインＬ１１０に循環水Ｗ２が流れないので、分岐ラインＬ１８０を通じて溶解容器１５１に循環水Ｗ２が供給されず、固形薬剤１６５の非浸漬部分は溶解しない。
【００３８】
薬注装置１５０の主要な構成は以上の通りである。冷却塔１２０の停止時には、溶解容器１５１の固形薬剤１６５の浸漬部分から流出する薬剤溶液Ｗ１０によって循環水Ｗ２の水質が適切なレベルに維持される。冷却塔１２０の稼動時には、固形薬剤１６５の浸漬部分から流出を続ける薬剤溶液Ｗ１０に加え、分岐ラインＬ１８０を通じて循環水Ｗ２が供給されることによって固形薬剤１６５の上部（非浸漬部分）も溶解する。固形薬剤１６５から流出する薬剤溶液Ｗ１０の量が増加するので、稼動時に微生物等で汚染されやすくなる循環水Ｗ２の水質を適切なレベルに維持できるのである。
【００３９】
以上説明した第１実施形態の薬注装置１５０によれば、以下のような効果を奏する。薬注装置１５０は、冷却塔１２０の内部に貯留される循環水Ｗ２に固形薬剤１６５の一部を浸漬させる溶解容器１５１と、冷却塔１２０の稼動時に、固形薬剤１６５における循環水Ｗ２に浸漬していない非浸漬部分に水を供給する溶解水供給手段１８０と、を備える。これにより、冷却塔１２０の稼動時と停止時のそれぞれで薬注量を適切に変更できる薬注装置１５０を複雑な制御や構成を追加することなく実現することができる。即ち、冷却塔１２０の停止時は、固形薬剤１６５における循環水Ｗ２に浸漬している部分のみが溶解するので、過剰薬注が防止される。そして、冷却塔１２０の稼動時には、溶解水供給手段１８０によって、循環水Ｗ２に浸漬していない非浸漬部分に循環水Ｗ２が供給されるので、浸漬部分に加えて非浸漬部分も溶解するようになるので、微生物等で汚染されやすくなる稼動時の循環水Ｗ２の水質を適切に維持するために十分な量の薬剤が注入される。
【００４０】
溶解水供給手段１８０は、循環水Ｗ２が循環する循環ラインＬ１１０から分岐した分岐ラインＬ１８０を通じて固形薬剤１６５の非浸漬部分に水を供給する。これにより、冷却塔１２０の稼動時に、分岐ラインＬ１８０を通じて循環水Ｗ２を固形薬剤１６５の非浸漬部分に安定的に供給することができ、稼動時の薬剤溶液Ｗ１０の濃度を一定にすることができる。
【００４１】
＜第２実施形態＞
次に、第２実施形態の薬注装置２５０について説明する。図２は、第２実施形態の薬注装置２５０が適用される冷却システム２０１を模式的に示した図である。なお、第１実施形態と同様の構成については、図面に同じ符号を付してその説明を省略する場合がある。
【００４２】
第２実施形態の薬注装置２５０は、補給水Ｗ１の流路に配置される溶解容器１５１と、溶解水供給手段２８０としての給水部１３７と、から構成される。
【００４３】
溶解容器１５１の配置場所について説明する。第２実施形態の溶解容器１５１は、給水弁１３９の下方に固定具１６９によって固定されており、その開口部１６１が循環水Ｗ２の所定水位よりも下方に位置する。これにより、固形薬剤１６５の下部の錠剤が循環水Ｗ２に浸漬し、薬剤溶液Ｗ１０が開口部１６１から常時流出している。また、溶解容器１５１の容器本体１６０の上部は開口されており、給水弁１３９の給水口に対向している。
【００４４】
冷却塔１２０の稼動時は、循環水Ｗ２の蒸発及び飛散等により貯留部１１６の水位が所定水位よりも低下すると給水弁１３９が開き、貯留部１１６に補給水Ｗ１が供給される。給水弁１３９から供給された補給水Ｗ１が溶解容器１５１の上部から固形薬剤１６５の非浸漬部分に補給水Ｗ１が供給される。この補給水Ｗ１によって固形薬剤１６５の非浸漬部分も溶解し、固形薬剤１６５から溶解する薬剤溶液Ｗ１０の量が増加する。増加した薬剤溶液Ｗ１０は、開口部１６１から貯留部１１６の循環水Ｗ２に薬注される。
【００４５】
冷却塔１２０の停止時には通常、補給水Ｗ１が供給されるほど所定水位も下がらないので、溶解容器１５１に補給水Ｗ１が供給されない。冷却塔１２０の稼動時に補給水Ｗ１が溶解容器１５１に供給されることにより、固形薬剤１６５の浸漬部分に加え、非浸漬部分も溶解し、薬剤溶液Ｗ１０の量が増加することによって冷却塔１２０の稼動及び停止時のそれぞれの状況に応じて薬注量が適切に調整される。
【００４６】
以上説明した第２実施形態の薬注装置２５０によれば、以下のような効果を奏する。薬注装置２５０が備える溶解水供給手段２８０は、冷却塔１２０の稼動時に補給される補給水Ｗ１を固形薬剤１６５の非浸漬部分に供給する。これにより、冷却塔１２０の稼動時において、給水量に応じた適切な薬注を行うことができる。例えば、夏場等の冷却システム３０１の稼動時の負荷が高く、補給水Ｗ１が頻繁に供給される場合においても、補給水Ｗ１の量に応じた薬注が行われるので、循環水Ｗ２の水質を冷却システム２０１の負荷に応じてより一層適切な状態で維持することができる。
【００４７】
なお、第２実施形態では、ボールタップ式の給水部１３７によって補給水Ｗ１が供給される構成を例に説明したが、補給水Ｗ１の補給方法は、適宜変更することができる。例えば、貯留部１１６の貯水レベルを水位センサで検出し、検出水位に応じて補給水ラインに設けた開閉弁を制御する給水装置を用い、補給水ラインを通じて供給される補給水の流路に溶解容器１５１を配置することもできる。
【００４８】
＜第３実施形態＞
次に、第３実施形態の薬注装置３５０について説明する。図３は、第３実施形態の薬注装置３５０が適用される冷却システム３０１を模式的に示した図である。なお、第１実施形態と同様の構成については、図面に同じ符号を付してその説明を省略する場合がある。
【００４９】
第３実施形態の薬注装置３５０は、冷却塔１２０の内部に貯留される循環水Ｗ２に固形薬剤１６５の一部を浸漬させる溶解容器１５１と、溶解水供給手段３８０と、から構成される。溶解容器１５１は、第１実施形態と同様に、固定具１６９によって塔本体１２１に固定される。
【００５０】
溶解水供給手段３８０は、集水器３８１と、集水ラインＬ３８０と、から構成される。集水器３８１は、充填材１４７に挿入して配置される桶状の容器である。上述の通り、充填材１４７には、冷却塔１２０の稼動時に、その上方の散水部１４６から循環水Ｗ２が散水される。集水器３８１は、充填材１４を通過する循環水Ｗ２の一部を回収可能に構成される。
【００５１】
なお、集水器３８１の配置は、充填材１４７に挿入する以外の態様を採用することもできる。例えば、集水器３８１は、散水槽１４５に浸漬して配置したり、散水部１４６の下方（充填材１４７の上方）に配置したりすることができる。いずれの態様も、循環水Ｗ２の一部を回収可能な構成として例示される。
【００５２】
集水ラインＬ３８０は、集水器３８１と溶解容器１５１を接続し、集水器３８１で集めた循環水Ｗ２を溶解容器１５１に供給する。集水ラインＬ３８０は、溶解容器１５１の上部に接続されており、集水器３８１で集めた循環水Ｗ２を固形薬剤１６５の上部（非浸漬部分）に供給する。これにより、固形薬剤１６５の非浸漬部分も溶解し、溶解容器１５１から流出する薬剤溶液Ｗ１０の量が増加する。充填材１４７には、循環水Ｗ２が供給されるのは冷却塔１２０の稼動時である。従って、集水器３８１に集められた循環水Ｗ２によって薬剤溶液Ｗ１０の流出量が増加するのも冷却塔１２０の稼動時である。このように、第３実施形態の構成においても、冷却塔１２０の稼動及び停止時のそれぞれの状況に応じて薬注量が適切に調整されるのである。
【００５３】
以上、本発明の薬注装置の好ましい各実施形態について説明したが、本発明は、上述の実施形態に制限されるものではなく、適宜変更が可能である。
【００５４】
上記実施形態では、固定式の溶解容器１５１を用いているが、貯留部１１６の循環水Ｗ２に浮かぶフロート式のものを用いることもできる。また、薬注装置を１つではなく複数配置することもできる。また、第１実施形態から第３実施形態に示した溶解水供給手段１８０，２８０，３８０を組み合せて使用してもよい。このように、溶解容器及び溶解水供給手段の構成は、その数、その容器の形状、固定方法や構成等を事情に応じて適宜変更することができる。
【００５５】
上記実施形態では、固形薬剤１６５は、複数の錠剤を積み重ねたものを用いているが、単一の固形薬剤を用いることもできる。例えば、縦長に形成された固形薬剤の一部を循環水に浸漬させておき、冷却塔の稼動時に、循環水に浸漬していない非浸漬部分に水を供給する構成とすることもできる。このように、固形薬剤の数、形状、配置方法、構成等は、事情に応じて適宜変更することができる。
【００５６】
上記実施形態では、冷却塔１２０を開放式冷却塔として構成した例について示した。この例に限らず、冷却塔１２０を密閉式冷却塔として構成してもよい。
【符号の説明】
【００５７】
１２０  冷却塔
１３１  被冷却装置
１３７  給水部（溶解水供給手段）
１５０  薬注装置
１５１  溶解容器
１６５  固形薬剤
１８０  溶解水供給手段
２８０  溶解水供給手段
３８０  溶解水供給手段
３８１  集水器（溶解水供給手段）
Ｌ１１０  循環ライン
Ｌ１８０  分岐ライン（溶解水供給手段）
Ｌ３８０  集水ライン（溶解水供給手段）
Ｗ１  補給水
Ｗ２  循環水
【図１】
0006520365.tif 000002
【図２】
0006520365.tif 000003
【図３】
0006520365.tif 000004